(57)【特許請求の範囲】
【請求項１】
上方付勢状態で下方移動自在に配設されたステム、及び該ステムの上端部に装着されると共に、内容物が吐出される吐出孔が形成された押下ヘッドを備える吐出器本体と、
前記内容物が収容された容器本体の口部に装着され、前記吐出器本体を容器本体に固定する装着キャップと、を備え、
前記装着キャップには、前記押下ヘッドを径方向の外側から囲繞して該押下ヘッドを内挿させる外郭筒部が設けられると共に、該外郭筒部には前記吐出孔を外郭筒部の外部に開放させる開放孔が形成され、
前記外郭筒部の上端開口縁には、リング体が配置され、
前記リング体と前記押下ヘッドとは、破断可能な弱化部を介して連結されていることを特徴とする改ざん防止機能付き吐出器。
【請求項２】
請求項１に記載の改ざん防止機能付き吐出器において、
前記押下ヘッドは、前記ステムに対して下方移動自在に装着されていることを特徴とする改ざん防止機能付き吐出器。
【発明の詳細な説明】
【技術分野】
【０００１】
本発明は、改ざん防止機能付き吐出器に関するものである。
【背景技術】
【０００２】
従来から、内容物を収容した容器の口部に装着される装着筒と、この装着筒に上方付勢状態で下方移動可能に貫設されたステムを有するポンプと、吐出口を有し、ステムの上端に装着された押下ヘッドと、を具備した吐出器が知られている。
また、この種の吐出器の１つとして、押下ヘッドの周囲に巻回されて該押下ヘッドを被覆する帯状体を備え、該帯状体の有無により未使用であることを判別することが可能な改ざん防止機能付きの吐出器が知られている（特許文献１参照）。
上記帯状体は、周方向の両端部同士が破断可能な弱化部を介して連結されており、この弱化部を破断させることで帯状体の取り外しが可能となり、開封がなされる。
【先行技術文献】
【特許文献】
【０００３】
【特許文献１】登録実用新案第２５８３０６９号公報
【発明の概要】
【発明が解決しようとする課題】
【０００４】
しかしながら、上記特許文献１に記載の従来の吐出器では、未使用状態の判別を行うことが可能であるが、これに加えさらにデザイン性を高めるという点においては十分なものではなく、改善の余地があった。
【０００５】
この発明は、このような事情を考慮してなされたもので、その目的は、未使用であることを容易且つ確実に判別できるうえ、優れたデザイン性を具備させることができる改ざん防止機能付き吐出器を提供することである。
【課題を解決するための手段】
【０００６】
上記の目的を達成するために、この発明は以下の手段を提供している。
（１）本発明に係る改ざん防止機能付き吐出器は、上方付勢状態で下方移動自在に配設されたステム、及び該ステムの上端部に装着されると共に、内容物が吐出される吐出孔が形成された押下ヘッドを備える吐出器本体と、前記内容物が収容された容器本体の口部に装着され、前記吐出器本体を容器本体に固定する装着キャップと、を備え、前記装着キャップには、前記押下ヘッドを径方向の外側から囲繞して該押下ヘッドを内挿させる外郭筒部が設けられると共に、該外郭筒部には前記吐出孔を外郭筒部の外部に開放させる開放孔が形成され、前記外郭筒部の上端開口縁には、リング体が配置され、前記リング体と前記押下ヘッドとは、破断可能な弱化部を介して連結されていることを特徴とする。
【０００７】
本発明に係る改ざん防止機能付き吐出器によれば、弱化部を破断させながら押下ヘッドを押し下げることで、開放孔を通じて内容物を吐出孔から吐出させることができる。特に、使用を開始するにあたって押下ヘッドを押し下げ操作する場合には、弱化部を破断させる必要がある。従って、この弱化部の破断の有無に基づいて、開封されたことがあるか否かを需要者に容易且つ正確に判別させることができる。よって、一目で改ざん等がなされておらず、未使用であることを認識させることができ、使用への安心感を確保できる。
【０００８】
また、弱化部を破断した後も、押下ヘッドが内挿されている外郭筒部を装着キャップに取付けたままにしておくことが可能になるので、押下ヘッドを外郭筒部で隠しながら使用することができる。この外郭筒部は、開放孔が形成されているだけのシンプルな部材であり、押下ヘッドに比べて外形形状の制約が少なく、容易にデザイン性を具備させることができる。従って、この改ざん防止機能付き吐出器に、優れたデザイン性を具備させることができる。
【０００９】
（２）上記本発明に係る改ざん防止機能付き吐出器において、前記押下ヘッドは、前記ステムに対して下方移動自在に装着されていることが好ましい。
【００１０】
この場合には、弱化部を破断する前に、例えば不意に外力が加えられたことで押下ヘッドが押し下げられたとしても、ステムが下方に移動して内容物が吐出孔から漏出してしまうことを防止することができる。しかも、押下ヘッドの上下方向の寸法精度や組立精度等を過度に高めなくても、リング体側だけで押下ヘッドの位置決めを行えるので、組み立て易い。つまり、初期状態ではステムに対して仮セット状態である押下ヘッドが、弱化部の破断と共にステムと確実に嵌合するように構成することができる。
【発明の効果】
【００１１】
本発明に係る改ざん防止機能付き吐出器によれば、未使用であることを容易且つ確実に判別できるうえ、優れたデザイン性を具備させることができる。
【図面の簡単な説明】
【００１２】
【図１】本発明に係る改ざん防止機能付き吐出器の実施形態を示す半縦断面図である。
【図２】図１に示す改ざん防止機能付き吐出器の外観斜視図である。
【図３】図１に示す押下ヘッド及びリング体の外観斜視図である。
【図４】図１に示す状態から、押下ヘッドを押し下げることで押下ヘッドとステムとを連結させた状態を示す半縦断面図である。
【図５】図４に示した状態の後、リング体を取り外した状態を示す、防止機能付き吐出器の外観斜視図である。
【発明を実施するための形態】
【００１３】
以下、本発明に係る改ざん防止機能付き吐出器の実施形態について、図面を参照して説明する。
（改ざん防止機能付き吐出器の構成）
本実施形態の改ざん防止機能付き吐出器１は、図１及び図２に示すように、押下ヘッド２０を備える吐出器本体２と、図示しない内容物が収容された容器本体（図２参照）Ａの口部（不図示）に装着され、吐出器本体２を容器本体Ａに固定する装着キャップ３と、を備えている。
【００１４】
なお、本実施形態では、ポンプを利用して内容物を吐出させるポンプタイプの吐出器を例に挙げて説明する。また、吐出器本体２、装着キャップ３及び容器本体Ａは、それぞれ共通軸線上に配置されている。以下、この共通軸を容器軸Ｏと称し、この容器軸Ｏに沿って装着キャップ３から吐出器本体２の押下ヘッド２０に向かう方向を上方、その反対方向を下方とする。また、容器軸Ｏに直交する方向を径方向といい、容器軸Ｏ回りに周回する方向を周方向という
また、内容物としては、例えば化粧用、毛染め用、洗顔用や洗髪用等の液状、ジェル状、泡状やクリーム状等のものである。或いは、調味料等の食品用に関する内容物でも構わない。
【００１５】
吐出器本体２は、上方付勢状態で押し込み可能に起立したステム１０を有するポンプ部１１と、このステム１０の上端部に装着された押下ヘッド２０と、を備えている。
ポンプ部１１は、ステム１０の押し込みによって内容物を送り出す送出器であり、装着キャップ３に一体的に組み付けられたシリンダ筒１２と、このシリンダ筒１２内に上下動可能に挿入された図示しないピストン筒と、を有しており、このピストン筒の上部に上記ステム１０が連通状態で取付けられている。なお、ピストン筒及びステム１０は、図示しないコイルバネによって常時、上方付勢されている。
【００１６】
装着キャップ３は、容器本体Ａの口部に例えば螺着される有頂筒状のキャップ本体３０と、このキャップ本体３０の頂壁部から上方に向けて突出した規制筒３１と、を備えている。
規制筒３１は、キャップ本体３０よりも縮径しており、その上端部には径方向の外側に向けて環状突起３２が形成されている。そして、この装着キャップ３が容器本体Ａの口部に装着されることで、ポンプ部１１が口部内に配設され且つステム１０が口部より上方に突出された状態で吐出器本体２が容器本体Ａに装着される。
なお、キャップ本体３０は、容器本体Ａの口部に装着されていれば良く、螺着に限られず例えばアンダーカット嵌合により口部に装着されていても構わない。
【００１７】
上記ステム１０は、装着キャップ３における規制筒３１の径方向の内側に配設され、その上端部が規制筒３１の上端部よりも上方に位置する外側筒部１３と、この外側筒部１３よりも径方向の内側に配設され、且つその上端部が外側筒部１３の上端部よりも上方に位置するように、該外側筒部１３に連設された内側筒部１４と、を備えている。
【００１８】
外側筒部１３は、規制筒３１の内部にて該規制筒３１の図示しない係合突起によって上方への抜け止めがなされており、上方付勢力によってステム１０が規制筒３１から上方に離間することが規制されている。また、外側筒部１３と内側筒部１４との間には、上方に開口した環状の嵌合凹部１５が画成されている。
内側筒部１４は、外径が上下方向に２段階に変化する段付き形状とされ、嵌合凹部１５を画成している下段部分１４ａよりも、該嵌合凹部１５の上方に位置する上段部分１４ｂの方が縮径している。また、この内側筒部１４の上端開口縁における内周面側には、環状の段部１４ｃが形成されている。
【００１９】
押下ヘッド２０は、図１〜図３に示すように、ステム１０を下方に押し込み操作する有頂筒状の操作部材であり、円板状に形成された天壁部２１と、この天壁部２１から下方に向けてそれぞれ突設された外筒２２、スライド筒２３及び嵌合筒２４と、を備えている。
外筒２２は、その外周面を天壁部２１の外周面に対して面一にした状態で設けられている。スライド筒２３は、外筒２２よりも径方向の内側に設けられており、下端部が装着キャップ３の規制筒３１に形成された環状突起３２に対してアンダーカット嵌合されている。これにより、押下ヘッド２０の上方への抜け止めがなされており、該押下ヘッド２０が装着キャップ３の規制筒３１から上方に離間することが規制されている。また、このスライド筒２３は、押下ヘッド２０の押し下げ操作に伴って、規制筒３１に沿って下方移動する。
【００２０】
嵌合筒２４は、スライド筒２３よりも径方向の内側に設けられており、ステム１０における内側筒部１４を径方向の外側から囲むように該内側筒部１４に装着されている。この際、押下ヘッド２０は、後述するリング体４３によって、嵌合筒２４の下端部と嵌合凹部１５における底部との間に隙間が形成された位置で上下方向に位置決めがなされている。これにより、押下ヘッド２０は、ステム１０に対して下方移動自在に装着されている。
【００２１】
なお、このとき嵌合筒２４は、ステム１０における内側筒部１４の上段部分１４ｂを囲んでおり、該ステム１０に対して嵌合がなされていなくても構わない。押下ヘッド２０の押し込み操作によって、嵌合筒２４が嵌合凹部１５内に進入し、それによって内側筒部１４の下段部分１４ａを囲んだときに両者が互いに嵌合し合うように構成されている。
【００２２】
また、天壁部２１において嵌合筒２４よりも径方向の内側に位置する部分には、円柱状の台座部２５が下方に向けて突設されていると共に、さらにこの台座部２５には複数の突起片２５ａが下方に向けて突設されている。これら突起片２５ａは、例えば周方向に沿って円弧状に湾曲した板片であり、互いに間隔を開けて周方向に並んで配置されている。そして、これら突起片２５ａは、押下ヘッド２０の押し込み操作によって、嵌合筒２４が嵌合凹部１５内に進入したときに、ステム１０における内側筒部１４に形成された段部１４ｃに接する部材とされている。
また、嵌合筒２４と台座部２５との間に画成される部分は、ステム１０の内部に連通する連通路２７として機能する。
【００２３】
ところで、天壁部２１の一部には、下方に向けてノズル用基台部２６が突設されている。このノズル用基台部２６は、例えば天壁部２１よりも厚肉とされた状態で、径方向に長く且つ周方向に短いブロック状に形成されており、図示の例では、径方向の外側面が外筒２２の外周面と面一とされ、径方向の内側面が嵌合筒２４の内周面と面一とされている。
なお、天壁部２１の一部にノズル用基台部２６が突設されているため、外筒２２、スライド筒２３及び嵌合筒２４の一部は、図示のようにノズル用基台部２６から下方に突設された状態とされている。
【００２４】
そして、上記ノズル用基台部２６には、押下ヘッド２０の側方側に開口する側面視円形状の凹部２６ａが形成されると共に、この凹部２６ａの外周縁部にその全周に亘って押下ヘッド２０の内側に向かって延びる環状溝２６ｂが形成されている。
そして、この環状溝２６ｂを利用して、内容物を吐出させる吐出孔２８が形成されたノズルチップ２９がノズル用基台部２６に装着されている。具体的には、環状溝２６ｂ内にノズルチップ２９の周壁部２９ａが差し込まれた状態で、上記凹部２６ａ内にノズルチップ２９の前壁部２９ｂが収納されることにより、装着がなされている。
吐出孔２８は、前壁部２９ｂの中心に形成されており、環状溝２６ｂに連通している。また、この環状溝２６ｂの一部は、嵌合筒２４の内周面に達するまで延びており、上記した連通路２７に連通している。
【００２５】
また、装着キャップ３には、図１及び図２に示すように、上記した押下ヘッド２０を径方向の外側から囲繞して、該押下ヘッド２０を内挿させる外郭筒部４０が取付けられている。
この外郭筒部４０は、キャップ本体３０の周壁部に対して例えば接着や嵌合等によって固定されており、その下端部がキャップ本体３０の周壁部よりも下方に位置し、且つその上端部が押下ヘッド２０の凹部２６ａにおける最上方位置付近に位置することで、押下ヘッド２０に加えて装着キャップ３についても囲繞して両者を内側に隠している。
【００２６】
また、外郭筒部４０には、押下ヘッド２０の吐出孔２８を該外郭筒部４０の外部に開放させる開放孔４１が形成されている。図示の例では、側面視円形状の開放孔４１が形成され、その大きさは押下ヘッド２０の押し下げ操作に応じて上下移動する吐出孔２８を常時外部に開放させることが可能なサイズとされている。なお、開放孔４１は円形状に限られず、例えば上下方向に延びるスリット状に形成されていても構わない。
また、外郭筒部４０には、容器軸Ｏを挟んで開放孔４１とは径方向の反対側に位置する部分における上端部に、押下ヘッド２０を押し下げ操作する際の切欠き部４２が形成されている。
【００２７】
外郭筒部４０の上端開口縁には、その全周に亘って環状のリング体４３が配置されている。このリング体４３は、図１〜図３に示すように、押下ヘッド２０に対して例えば一体成形された部材であり、破断可能な複数の弱化部４４を介して押下ヘッド２０に連結されている。弱化部４４は、例えば周方向に間隔を開けて９０度毎に４つ形成されている。なお、この弱化部４４は、全周に亘って設けられた薄肉部としても良い。
【００２８】
そして、押下ヘッド２０は、図１に示すように、弱化部４４を介してこのリング体４３に支持されることで上下方向に位置決めがなされている。なお、上述したように、押下ヘッド２０は上方への抜け止めがなされているので、リング体４３は外郭筒部４０の上端開口縁から外れることがない。この際、リング体４３は上端開口縁に載置されているだけでも構わないし、接着等によって固定されていても構わない。
【００２９】
（改ざん防止機能付き吐出器の作用）
次に、このように構成された改ざん防止機能付き吐出器１を使用する場合について説明する。
この場合には、図４に示すように、押下ヘッド２０の天壁部２１に外力を加え、弱化部４４を破断させながら押下ヘッド２０を押し下げ操作する。すると、押下ヘッド２０のスライド筒２３が装着キャップ３の規制筒３１に沿って下方移動すると共に、押下ヘッド２０の嵌合筒２４が嵌合凹部１５内に進入して嵌合する。即ち、嵌合筒２４がステム１０における内側筒部１４の下段部分１４ａに嵌合する。これにより、押下ヘッド２０とステム１０とが互いに連結し合った状態となる。
なお、このとき同時に、押下ヘッド２０の台座部２５に形成された突起片２５ａがステム１０における内側筒部１４の段部１４ｃに対して接触する。
【００３０】
そして、さらなる押下ヘッド２０の押し下げ操作によってステム１０を押し下げることができ、ステム１０から噴出された内容物を、連通路２７及び環状溝２６ｂを通じて吐出孔２８から吐出させることができ、開放孔４１を通じて外郭筒部４０の外部に向けて吐出させることができる。
【００３１】
特に、本実施形態の改ざん防止機能付き吐出器１によれば、使用を開始するにあたって押下ヘッド２０を押し下げ操作する際に、弱化部４４が破断されるように構成されている。従って、この弱化部４４の破断の有無に基づいて、開封されたことがあるか否かを需要者に容易且つ正確に判別させることができる。よって、一目で改ざん等がなされておらず、未使用であることを認識させることができ、初めて使うという、使用への安心感を確保できる。しかも、押下ヘッド２０の押し込み操作によって弱化部４４を破断させるという触覚を需要者自身が体感できるので、さらに安心感が高まる。
【００３２】
なお、リング体４３が外郭筒部４０の上端開口縁に対して接着等によって固定されていない場合には、弱化部４４を破断した後、図５に示すように、リング体４３を除去することができる。この場合、弱化部４４の破断の有無だけでなく、リング体４３の有無によっても開封されたか否かの判別を行わせることができる。
また、使用に関し、押下ヘッド２０を押し込み操作することで弱化部４４を破断させるのではなく、リング体４３を毟り取ることで弱化部４４を破断させ、その後に押下ヘッド２０を押し込み操作しても構わない。
【００３３】
また、図４及び図５に示すように、弱化部４４を破断した後も、押下ヘッド２０が内挿されている外郭筒部４０を装着キャップ３に取付けたままにしておくことが可能になるので、押下ヘッド２０を外郭筒部４０で隠しながら使用することができる。この外郭筒部４０は、開放孔４１が形成されているだけのシンプルな部材であり、押下ヘッド２０に比べて外形形状の制約が少なく、容易にデザイン性を具備させることができる。従って、この改ざん防止機能付き吐出器１に、優れたデザイン性を具備させることができる。
なお、上記外郭筒部４０は、装着キャップ３と一体成形されていても良い。
【００３４】
また、使用前状態において、図１に示すように、押下ヘッド２０の嵌合筒２４は嵌合凹部１５内に進入しておらず、ステム１０に対して下方移動自在に装着されている。従って、弱化部４４を破断する前に、例えば不意に外力が加えられたことで押下ヘッド２０が押し下げられたとしても、ステム１０が下方に移動して内容物が吐出孔２８から漏出してしまうことを防止することができる。しかも、押下ヘッド２０の上下方向の寸法精度や組立精度等を過度に高めなくても、リング体４３側だけで押下ヘッド２０の位置決めを行えるので、組立性にも優れている。
【００３５】
なお、本発明の技術範囲は、上記実施形態に限定されるものではなく、本発明の趣旨を逸脱しない範囲において、種々の変更を加えることが可能である。
【００３６】
例えば、上記実施形態では、ポンプ部１１を利用して内容物を吐出させるタイプの吐出器を例に挙げて説明したが、この際のポンプ部１１は、押下ヘッド２０を介してステム１０を押し下げることによって内容物を吸い上げ、吐出孔２８から吐出させるものであれば公知のもので良く、例えば、内容物を加圧しながら吐出する加圧ポンプや、内容物を液状で吐出する液ポンプや、空気シリンダ及び空気ピストンを構成に加えて内容物を泡状に吐出するフォーマーポンプや、内容物を霧状に吐出するスプレーポンプであっても構わない。更に、ポンプタイプの吐出器ではなく、エアゾールタイプの吐出器であっても本発明は適用可能である。
【００３７】
また、上記実施形態において、径方向の外側に向けて延び、その先端が吐出孔とされた吐出ノズルを具備する押下ヘッドとし、開放孔を通じて吐出ノズルを外郭筒部の外部に露出させる構成しても構わない。
更に、リング体は環状に限られず、Ｃ字状等、適宜選択することができる。例えば、Ｃ字状とした場合、周方向において間欠部分を切欠き部に位置合わせすることにより、押下ヘッドの操作性をさらに高めることが可能となる。
【符号の説明】
【００３８】
Ａ…容器本体
１…改ざん防止機能付き吐出器
２…吐出器本体
３…装着キャップ
１０…ステム
２０…押下ヘッド
２８…吐出孔
４０…外郭筒部
４１…開放孔
４３…リング体
４４…弱化部
【図１】
0005785879.tif 000002
【図２】
0005785879.tif 000003
【図３】
0005785879.tif 000004
【図４】
0005785879.tif 000005
【図５】
0005785879.tif 000006